(57)【特許請求の範囲】
【請求項１】
物体側から像側へ順に、ズーミングのためには移動しない正の屈折力の第１レンズ群、ズーミングのために移動する負の屈折力の第２レンズ群、ズーミングのために移動する正の屈折力の第３レンズ群、ズーミングのために移動する正の屈折力の第４レンズ群、正の屈折力の第５レンズ群からなり、隣接するレンズ群どうしの間隔がいずれもズーミングにより変化するズームレンズであって、
前記第２レンズ群の横倍率をβ２とし、前記第３レンズ群の横倍率をβ３とし、前記第４レンズ群の横倍率をβ４として、
｜β３×β４｜＝１を満足するズームポジションにおいて
１．０＜｜β２｜＜４．５
なる条件式を満足し、
焦点距離ｆｔｍにおける前記第２レンズ群の横倍率をβ２ｔｍとして、
１．３８＜｜β２ｔｍ｜＜３．５
なる条件式を満足することを特徴とするズームレンズ。
ここで、ｆｔｍは、広角端の焦点距離をｆｗとし、ズーム比をＺとして、次の式で表される焦点距離とする。
ｆｔｍ＝ｆｗ×Ｚ０．８５
８０≦Ｚ
【請求項２】
前記第４レンズ群と前記第５レンズ群との間にズーミングのためには移動しない絞りを備えることを特徴とする請求項１に記載のズームレンズ。
【請求項３】
前記第１レンズ群の焦点距離をｆ１とし、前記第２レンズ群の焦点距離をｆ２とし、望遠端の焦点距離をｆｔとして、
１．５＜｜ｆｔ／ｆ１｜＜５．０
４．０＜｜ｆ１／ｆ２｜＜１５．０
なる条件式を満足することを特徴とする請求項１または請求項２に記載のズームレンズ。
【請求項４】
前記第３レンズ群は、負レンズを含み、前記第３レンズ群を構成する正レンズのアッベ数の平均値および部分分散比の平均値をそれぞれνpaおよびθpaとし、前記第３レンズ群を構成する負レンズのアッベ数の平均値および部分分散比の平均値をそれぞれνnaおよびθnaとして、
−１．４×１０−３＜(θpa−θna)／(νpa−νna)＜−０．７×１０−３
なる条件式を満足することを特徴とする請求項１ないし請求項３のうちいずれか１項に記載のズームレンズ。
但し、アッベ数νおよび部分分散比θは、ｇ線における屈折率をＮｇとし、Ｆ線における屈折率をＮＦとし、ｄ線における屈折率をＮｄとし、Ｃ線における屈折率をＮＣとして、
ν＝（Ｎｄ−１）／（ＮＦ−ＮＣ）
θ＝（Ｎｇ−ＮＦ）／（ＮＦ−ＮＣ）
なる式で定義される。
【請求項５】
広角端における前記第２レンズ群の横倍率の望遠端における前記第２レンズ群の横倍率での商をＺ２とし、広角端における前記第３レンズ群の横倍率の望遠端における前記第３レンズ群の横倍率での商をＺ３とし、広角端における前記第４レンズ群の横倍率の望遠端における前記第４レンズ群の横倍率での商をＺ４として、
２．０＜Ｚ２／（Ｚ３×Ｚ４）＜１０．０
なる条件式を満足することを特徴とする請求項１ないし請求項４のうちいずれか１項に記載のズームレンズ。
【請求項６】
前記第３レンズ群の焦点距離をｆ３とし、前記第４レンズ群の焦点距離をｆ４として、
０．２＜｜ｆ３／ｆ４｜＜１．０
なる条件式を満足することを特徴とする請求項１ないし請求項５のうちいずれか１項に記載のズームレンズ。
【請求項７】
前記第４レンズ群は正の屈折力を有し、少なくとも１枚の正レンズと１枚の負レンズとを含むことを特徴とする請求項１乃至６のうちいずれか１項に記載のズームレンズ。
【請求項８】
請求項１乃至７のうちいずれか１項に記載のズームレンズと、
前記ズームレンズからの光を受ける撮像素子と、
を含むことを特徴とする撮像装置。
【発明の詳細な説明】
【技術分野】
【０００１】
本発明はズームレンズ及びそれを有する撮像装置に関し、例えば放送用テレビカメラ、ビデオカメラ、デジタルスチルカメラ、銀塩写真用カメラ等に好適なものである。
【背景技術】
【０００２】
近年、テレビカメラ、銀塩フィルム用カメラ、デジタルカメラ、ビデオカメラ等の撮像装置には、広画角、高ズーム比でしかも高い光学性能を有したズームレンズが要望されている。大口径比、広画角、高ズーム比のズームレンズとして、最も物体側に正の屈折力のレンズ群を配置した５つのレンズ群より成るポジティブリード型の５群ズームレンズが知られている。上記は変倍レンズ群を３つの可動レンズ群で構成し、互いに異なった軌跡で移動する。
【０００３】
例えば特許文献１では、合焦を行う正の屈折力の第１レンズ群、変倍時に移動する負の屈折力の第２レンズ群、変倍時に移動する正の屈折力の第３レンズ群、変倍時に移動する正の屈折力の第４レンズ群を有するテレビカメラに好適な５群ズームレンズが開示されている。ズーム比１１０倍程度、広角端の撮影画角６０°程度のズームレンズが開示されており、硝材、レンズ構成等を適切に配置し広角、高変倍、高性能を達成している。
【先行技術文献】
【特許文献】
【０００４】
【特許文献１】特開２０１４−０３８２３８号公報
【発明の概要】
【発明が解決しようとする課題】
【０００５】
上述のポジティブリード型のズームレンズは、高ズーム比を比較的容易に達成することができるが、高ズーム比になる程、各レンズ群の製造誤差による光学性能への影響が増大する。
【０００６】
製造誤差による性能への影響は、対象のレンズ群より像側に配置されたレンズ群の横倍率βｉに依存する。横収差はβｉに比例し、縦収差はβｉ２に比例する。
【０００７】
製造誤差による性能への影響の例としては、ズーム中間における像面位置のズレがあげられる。一般に各レンズ群が製造誤差を有した場合、像面位置は、本来の設計位置に対して異なる位置となる。前記像面位置のズレは、特許文献１で開示されたように正の屈折力の第１レンズ群で合焦を行うズームレンズの場合、合焦操作により補正をすることが可能である。
【０００８】
特に第１レンズ群の製造誤差による像面位置のズレは、ズーム比の２乗に比例し規則性を持って発生するため、合焦操作をすることでズーム全域において補正を行うことが可能である。
【０００９】
しかしながら変倍可動群の製造誤差による像面位置のズレは、ズームにより不規則に発生する。そのため合焦操作をしてもズーム全域において補正することができず、あるズーム位置においては像面位置ズレが残存してしまう。合焦操作は望遠端の像面位置を補正するように実施することが一般的であり、この場合望遠端における像面位置ズレはなくなるが、ズーム中間において像面位置ズレが残存する。
【００１０】
像面位置ズレは縦収差と同様に、対象のレンズ群より像側に配置されたレンズ群の横倍率βｉの２乗に比例する。特に望遠側において、前記βｉが極端に増大する第２レンズ群の製造誤差により、ズーム中間における像面位置のズレが大きく発生する。
【００１１】
ズーム中間における像面位置のズレを抑制するためには、各移動レンズ群のズーム軌跡を適切に設定し、ズーム中間における各移動レンズ群の横倍率を抑制することが必要となる。
【００１２】
本発明は、例えば、高ズーム比、高性能、製造誤差による性能の劣化の少なさの点で有利なズームレンズの提供を目的とする。
【課題を解決するための手段】
【００１３】
上記目的を達成するために、本発明のズームレンズは、物体側から像側へ順に、ズーミングのためには移動しない正の屈折力の第１レンズ群、ズーミングのために移動する負の屈折力の第２レンズ群、ズーミングのために移動する正の屈折力の第３レンズ群、ズーミングのために移動する正の屈折力の第４レンズ群、正の屈折力の第５レンズ群からなり、隣接するレンズ群どうしの間隔がいずれもズーミングにより変化するズームレンズであって、前記第２レンズ群の横倍率をβ２とし、前記第３レンズ群の横倍率をβ３とし、前記第４レンズ群の横倍率をβ４として、
｜β３×β４｜＝１を満足するズームポジションにおいて
１．０＜｜β２｜＜４．５
なる条件式を満足し、焦点距離ｆｔｍにおける前記第２レンズ群の横倍率をβ２ｔｍとして、
１．３８＜｜β２ｔｍ｜＜３．５
なる条件式を満足することを特徴とする。ここで、ｆｔｍは、広角端の焦点距離をｆｗとし、ズーム比をＺとして、次の式で表される焦点距離とする。
ｆｔｍ＝ｆｗ×Ｚ０．８５
８０≦Ｚ
【発明の効果】
【００１４】
本発明によれば、例えば、高ズーム比、高性能、製造誤差による性能の劣化の少なさの点で有利なズームレンズを提供することができる。
【図面の簡単な説明】
【００１５】
【図１】数値実施例１の広角端におけるレンズ断面図
【図２】数値実施例１の（Ａ）広角端、（Ｂ）ｆ＝２３３．６ｍｍ、（Ｃ）ｆ＝４１４．７ｍｍ、（Ｄ）望遠端の物体距離１５ｍにおける収差図
【図３】数値実施例２の広角端におけるレンズ断面図
【図４】数値実施例２の（Ａ）広角端、（Ｂ）ｆ＝２６０．６ｍｍ、（Ｃ）ｆ＝４８５．７ｍｍ、（Ｄ）望遠端の物体距離１５ｍにおける収差図
【図５】数値実施例３の広角端におけるレンズ断面図
【図６】数値実施例３の（Ａ）広角端、（Ｂ）ｆ＝４１４．６ｍｍ、（Ｃ）ｆ＝４７３．３ｍｍ、（Ｄ）望遠端の物体距離１５ｍにおける収差図
【図７】数値実施例４の広角端におけるレンズ断面図
【図８】数値実施例４の（Ａ）広角端、（Ｂ）ｆ＝４８５．７ｍｍ、（Ｃ）ｆ＝８２２．９ｍｍ、（Ｄ）望遠端の物体距離１５ｍにおける収差図
【図９】実施例５の撮像装置の概略図
【発明を実施するための形態】
【００１６】
以下に、本発明の実施の形態を添付の図面に基づいて詳細に説明する。
【００１７】
本発明のズームレンズは、物体側から像側へ順に、ズーミングのためには移動せず、フォーカシングに際して移動する正の屈折力の第１レンズ群、ズーミングに際して移動する負の屈折力の第２レンズ群、ズーミングに際して移動する正の屈折力の第３レンズ群、ズーミングに際して移動する正の屈折力の第４レンズ群、ズーミングのためには移動しない絞り、結像のための正の屈折力の第５レンズ群を有する。
【００１８】
図１は本発明の実施例１（数値実施例１）の広角端で、無限遠に合焦しているときのレンズ断面図である。図２は、数値実施例１の（Ａ）広角端、（Ｂ）ｆ＝２３３．６ｍｍ、（Ｃ）ｆ＝４１４．７ｍｍ、（Ｄ）望遠端において距離１５ｍに合焦しているときの収差図である。但し、物体距離の値は、後述する数値実施例をｍｍ単位で表したときの値である。物体距離は第１レンズ面からの距離である。以下、同じである。
【００１９】
図３は本発明の実施例２（数値実施例２）の広角端で、無限遠に合焦しているときのレンズ断面図である。図４は、数値実施例２の（Ａ）広角端、（Ｂ）ｆ＝２６０．６ｍｍ、（Ｃ）ｆ＝４８５．７ｍｍ、（Ｄ）望遠端において距離１５ｍに合焦しているときの収差図である。
【００２０】
図５は本発明の実施例３（数値実施例３）の広角端で、無限遠に合焦しているときのレンズ断面図である。図６は、数値実施例３の（Ａ）広角端、（Ｂ）ｆ＝４１４．６ｍｍ、（Ｃ）ｆ＝４７３．３ｍｍ、（Ｄ）望遠端において距離１５ｍに合焦しているときの収差図である。
【００２１】
図７は本発明の実施例４（数値実施例４）の広角端で、無限遠に合焦しているときのレンズ断面図である。図８は、数値実施例４の（Ａ）広角端、（Ｂ）ｆ＝４８５．７ｍｍ、（Ｃ）ｆ＝８２２．９ｍｍ、（Ｄ）望遠端において距離１５ｍに合焦しているときの収差図である。
【００２２】
レンズ断面図において、Ｕ１はズーミングのためには不動で、正の屈折力の第１レンズ群である。第１レンズ群Ｕ１はフォーカシング用のレンズ系を有する。フォーカシング用のレンズ系は第１レンズ群Ｕ１の全体又は一部の屈折力のあるレンズ系よりなっている。
【００２３】
Ｕ２、Ｕ３はズーミングに際して移動する、負の屈折力の第２レンズ群、正の屈折力の第３レンズ群（バリエータレンズ群）である。このＵ２、Ｕ３は光軸上を移動することにより、広角端から望遠端への変倍を行っている。Ｕ４はズーミングに際して移動する、正の屈折力の第４レンズ群（コンペンセーターレンズ群）である。この第４レンズ群Ｕ４は、Ｕ２、Ｕ３の移動に連動して光軸上を移動して、変倍に伴う像面変動を補正している。ＳＰは開口絞りである。Ｕ５はズーミングのためには不動の正の屈折力の第５レンズ群（リレーレンズ群Ｒ）である。開口絞りＳＰは第４レンズ群Ｕ４と第５レンズ群Ｕ５との間に配置されている。
【００２４】
ＩＰは像面であり、固体撮像素子（光電変換素子）の撮像面に相当している。球面収差図において、実線はｅ線、二点鎖線はｇ線を示す。非点収差において点線はｅ線のメリディオナル像面、実線のｅ線のサジタル像面を示している。倍率色収差において二点鎖線はｇ線を示す。ＦｎｏはＦナンバー、ωは半画角（度）である。
【００２５】
収差図において、球面収差は０．２ｍｍ、非点収差は０．２ｍｍ、歪曲は５％、倍率色収差は、０．０５ｍｍのスケールで描いている。
【００２６】
本発明のズームレンズは、望遠側のズームポジションにおける第２レンズ群、第３レンズ群、第４レンズ群の横倍率を規定することにより、高ズーム比、高性能と、製造誤差による性能の劣化、特にズーム中間における像面位置のズレが少なくするための条件を規定している。
【００２７】
物体側から像側へ順に、ズーミングのためには移動せず、フォーカシングに際して移動する正の屈折力の第１レンズ群、ズーミングに際して移動する負の屈折力の第２レンズ群、ズーミングに際して移動する正の屈折力の第３レンズ群、ズーミングに際して移動する正の屈折力の第４レンズ群、ズーミングのためには移動しない絞り、結像のための正の屈折力の第５レンズ群からなるズームレンズにおいて、第２レンズ群の横倍率をβ２、第３レンズ群の横倍率をβ３、第４レンズ群の横倍率をβ４とするとき、条件式（１）を満足する。
｜β３×β４｜＝１を満足するズームポジションにおいて
１．０＜｜β２｜＜４．５  ・・・（１）
また、焦点距離：ｆtmにおける第２レンズ群の横倍率をβ2tmとするとき、条件式（２）を満足する。
１．３８＜｜β２tm｜＜３．５  ・・・（２）
ここでｆtmは、広角端の焦点距離をｆｗ、ズーム比をＺとしたとき、以下の式で表される焦点距離とする。
ｆtm＝ｆＷ×Ｚ0.85  ・・・（３）
【００２８】
上記構成とすることにより、高ズーム比、高性能、しかも製造誤差による性能の劣化が少ないズームレンズを得ている。
【００２９】
各実施例のズームレンズにおけるズーム中間における像面位置のズレについて説明する。
【００３０】
一般に各レンズ群が製造誤差を有した場合、像面位置は、本来の設計位置に対して異なる位置となり、両者にはズレが生じる。前記像面位置のズレは、本発明のように正の屈折力の第１レンズ群でフォーカシングを行うズームレンズの場合、合焦操作により補正をすることが可能である。
【００３１】
特に第１レンズ群の製造誤差による像面位置のズレは、ズーム比の２乗に比例し規則性を持って発生するため、合焦操作をすることでズーム全域において補正を行うことが可能である。
【００３２】
しかしながら変倍可動レンズ群の製造誤差による像面位置のズレは、ズームにより不規則に発生する。そのため合焦操作をしてもズーム全域において補正することができず、あるズーム位置においては像面位置ズレが残存してしまう。合焦操作は望遠端の像面位置を補正するように実施することが一般的であり、この場合望遠端における像面位置ズレはなくなるが、ズーム中間において像面位置ズレが残存する。
【００３３】
像面位置ズレは、対象のレンズ群より像側に配置されたレンズ群の横倍率βiの２乗に比例する。特に望遠側において、前記βiが極端に増大する第２レンズ群の製造誤差により、ズーム中間における像面位置のズレが大きく発生する。
【００３４】
具体的には、第２レンズ群の製造誤差により発生する像面位置のズレは下記の式となる。
Δsk＝β３2×β４2×β５2×
｛(1−β２)2−β２2×(1−β２t)2／β２t2｝×Δｆ２  ・・・（４）
ここでΔskはズーム中間における像面位置ズレ、Δｆ２は第２レンズ群の焦点距離ｆ２が製造誤差により変化した量である。
【００３５】
（４）式より、ズーム中間における像面位置のズレを抑制するためには、各移動レンズ群のズーム軌跡を適切に設定し、ズーム中間における第３レンズ群、第４レンズ群の横倍率を抑制することが必要となる。
【００３６】
また（４）式で発生するズーム中間における像面位置のズレΔskは、広角端、望遠端で最小となり、ズーム中間特に前記焦点距離ｆtm付近で最大となる傾向を有する。
そのためズーム全域においてΔskを抑制するためには、特に焦点距離ｆtmにおける第３レンズ群、第４レンズ群の横倍率を適切に設定することが重要となる。
【００３７】
本発明においては、ズーム中間における像面位置のズレが増大する焦点距離において、第３レンズ群、第４レンズ群の横倍率を適切に設定し、ズーム全域において製造誤差に起因する像面位置のズレΔskを抑制することを可能としている。
【００３８】
条件式（１）の下限を越えると、ズーム中間位置におけるβ３、β４の絶対値が増大し、ズーム中間における像面位置のズレが増大する。条件式（１）の上限を越えると、ズーム中間から望遠端にかけて、β２の絶対値が増大し、第２レンズ群のズームによる移動量が増大し、望遠側で第２レンズ群の軸上光線が低くなる。これに起因して第２レンズ群による軸上色収差の補正が不足となり望遠側で軸上色収差の２次スペクトルが増大する。
【００３９】
条件式（２）の下限を越えると、ズーム中間位置におけるβ３、β４の絶対値が増大し、ズーム中間における像面位置のズレが増大する。条件式（２）の上限を越えると、ズーム中間から望遠端にかけて、β２の絶対値が増大し、第２レンズ群のズームによる移動量が増大し、望遠側で第２レンズ群の軸上光線が低くなる。これに起因して第２レンズ群による軸上色収差の補正が不足となり望遠側で軸上色収差の２次スペクトルが増大する。
【００４０】
更に好ましくは条件式（１）、（２）を次の如く設定するのが良い。
１．０５＜｜β２｜＜３．７  ・・・（１ａ）
１．４＜｜β２tm｜＜２．６  ・・・（２ａ）
【００４１】
本発明のズームレンズの更なる特徴として、第１レンズ群と第２レンズ群の焦点距離を規定することにより、高倍率ながらズーム全域における収差の良好な補正を達成するための条件を規定している。第１レンズ群の焦点距離をｆ１、第２レンズ群の焦点距離をｆ２、望遠端の焦点距離をｆｔとしたとき、以下の条件式を満足する。
１．５＜｜ｆｔ／ｆ１｜＜５．０  ・・・（５）
４．０＜｜ｆ１／ｆ２｜＜１５．０  ・・・（６）
【００４２】
条件式（５）は望遠端の焦点距離ｆｔと第１レンズ群Ｕ１の焦点距離ｆ１の比を規定している。条件式（５）の上限を超えると、第１レンズ群Ｕ１の望遠端における拡大率が大きくなり過ぎるため、望遠側の球面収差変動や軸上色収差の補正をすることが困難となる。条件式（５）の下限を超えると、第２乃至第４レンズ群Ｕ２乃至Ｕ４の焦点距離が短くなり易く、ズームによる収差変動の抑制が困難となる。
【００４３】
条件式（６）は第１レンズ群Ｕ１の焦点距離ｆ１と、第２レンズ群Ｕ２の焦点距離ｆ２の比を規定している。条件式（６）の上限を超えると、第１レンズ群Ｕ１の焦点距離が相対的に長くなるため、第１レンズ群Ｕ１のレンズ径が大きくなり、広角化が困難となる。条件式（６）の下限を超えると、第１レンズ群Ｕ１の焦点距離が相対的に短くなるため、望遠側の球面収差変動や軸上色収差の補正をすることが困難となる。
【００４４】
更に好ましくは条件式（５）、（６）を次の如く設定するのが良い。
３．０＜｜ｆｔ／ｆ１｜＜４．５  ・・・（５ａ）
８．０＜｜ｆ１／ｆ２｜＜１１．０  ・・・（６ａ）
【００４５】
本発明のズームレンズの更なる特徴として、第３レンズ群のレンズ材料の分散特性の条件を規定することにより、ズーム中間から望遠端における軸上色収差の二次スペクトルを良好に補正するための条件を規定している。
【００４６】
第３レンズ群を構成するレンズのうち、第３レンズ群を構成する正レンズのアッベ数、部分分散比の平均値をνpa、θpa、第３レンズ群を構成する負レンズのアッベ数、部分分散比の平均値をνna、θnaとしたとき、以下の条件式を満足する。
−１．４×１０-3＜(θpa−θna)／(νpa−νna)＜−０．７×１０-3
・・・（７）
ただし、アッベ数νおよび部分分散比θは、ｇ線における屈折率をＮｇ、Ｆ線における屈折率をＮＦ、ｄ線における屈折率をＮｄ、Ｃ線における屈折率をＮＣとしたとき、
ν＝（Ｎｄ−１）／（ＮＦ−ＮＣ）  ・・・（ａ）
θ＝（Ｎｇ−ＮＦ）／（ＮＦ−ＮＣ）  ・・・（ｂ）
で定義される。
【００４７】
条件式（７）の下限を越えると、第３レンズ群による二次スペクトル補正効果が不足してしまい、ズーム中間から望遠端における軸上色収差の二次スペクトルを良好に補正することが困難となってくる。条件式（７）の上限を上回ると、硝材選択が限定的となるため、第３レンズ群内の正レンズと負レンズの分散が近くなり、第３レンズ群内の各単レンズの屈折力が増大する。その結果、ズーム中間から望遠端にかけて、球面収差、コマ収差の良好な補正が困難となる。
【００４８】
更に好ましくは条件式（７）を次の如く設定するのが良い。
−１．１５×１０-3＜(θpa−θna)／(νpa−νna)＜−０．９×１０-3
・・・（７ａ）
【００４９】
本発明のズームレンズの更なる特徴として、第２レンズ群Ｕ２の広角端と望遠端における横倍率の比Ｚ２と、第３レンズ群Ｕ３と第４レンズ群Ｕ４の広角端と望遠端における横倍率の比Ｚ３、Ｚ４の比率を規定することにより、高倍率ながらズーム全域における収差の良好な補正を達成するための条件を規定している。
【００５０】
第２レンズ群、第３レンズ群、第４レンズ群の、広角端における横倍率の望遠端における横倍率での商をＺ２、Ｚ３、Ｚ４としたとき、以下の条件を満足する。
２．０＜Ｚ２／（Ｚ３×Ｚ４）＜１０．０  ・・・（８）
【００５１】
Ｚ２とＺ３とＺ４の積はレンズ全系のズーム比を表すため、条件式（８）はズーム比を担う割合を規定している。条件式（８）の上限を超えると、第３レンズ群、第４レンズ群が望遠側で収差補正に寄与する割合が小さく、望遠側の軸上色収差の補正が困難となる。条件式（８）の下限を超えると、第２レンズ群Ｕ２のズーム分担が小さくなり、レンズ全長や第３レンズＵ３及び第４レンズＵ４のレンズ径を縮小することが困難となる。
【００５２】
更に好ましくは条件式（８）を次の如く設定するのが良い。
２．８＜Ｚ２／（Ｚ３×Ｚ４）＜８．０  ・・・（８ａ）
【００５３】
本発明のズームレンズの更なる特徴として、第３レンズ群Ｕ３と第４レンズ群Ｕ４の焦点距離の比を規定し、ズーム全域における収差の良好な補正と、ズーム中間における像面位置のズレを抑制するための条件を規定している。
【００５４】
第３レンズ群の焦点距離をｆ３、第４レンズ群の焦点距離をｆ４としたとき、以下の条件を満足する。
０．２＜｜ｆ３／ｆ４｜＜１．０  ・・・（９）
【００５５】
条件式（９）の上限を超えると、第４レンズ群Ｕ４の焦点距離が長くなり過ぎるため、第３レンズ群の製造誤差に起因するズーム中間における像面位置のズレを抑制することが困難となる。条件式（９）の下限を超えると、第４レンズ群Ｕ４の焦点距離が相対的に短くなり過ぎるため、ズーム中間から望遠側における球面収差、コマ収差の変動を抑制することが困難となる。
【００５６】
更に好ましくは条件式（９）を次の如く設定するのが良い。
０．３５＜｜ｆ３／ｆ４｜＜０．７５  ・・・（９ａ）
【００５７】
本発明のズームレンズの更なる特徴として、第４レンズ群の構成を規定している。第４レンズ群Ｕ４は正の屈折力を持ち、少なくとも１枚の正レンズと１枚の負レンズにて構成されるのが良い。これによればズーミングに際しての諸収差変動の抑制、特に色収差の補正が容易となる。
【００５８】
次に各実施例の特徴について説明する。
【実施例１】
【００５９】
図１の実施例１のレンズ断面図において、Ｕ１はズーミングのためには不動で、正の屈折力の第１レンズ群である。第１レンズ群Ｕ１はフォーカシング用のレンズ系を有する。フォーカシング用のレンズ系は第１レンズ群Ｕ１の全体又は一部の屈折力のあるレンズ系よりなっている。
【００６０】
Ｕ２、Ｕ３はズーミングに際して移動する、負の屈折力の第２レンズ群、正の屈折力の第３レンズ群（バリエータレンズ群）である。このＵ２、Ｕ３は光軸上を移動することにより、広角端から望遠端への変倍を行っている。Ｕ４はズーミングに際して移動する、正の屈折力の第４レンズ群（コンペンセーターレンズ群）である。この第４レンズ群Ｕ４は、Ｕ２、Ｕ３の移動に連動して光軸上を移動して、変倍に伴う像面変動を補正している。ＳＰは開口絞りである。Ｕ５はズーミングのためには不動の正の屈折力の第５レンズ群（リレーレンズ群Ｒ）である。開口絞りＳＰは第４レンズ群Ｕ４と第５レンズ群Ｕ５との間に配置されている。
【００６１】
ｆ＝２３３．６ｍｍが前記｜β３×β４｜＝１を満足するズームポジションであり、ｆ＝４１４．７ｍｍがｆtm（＝ｆＷ×Ｚ0.85）に対応するズームポジションである。
本実施例は（１）から（９）までのいずれの条件式も満足しており、これにより、高ズーム比、高性能、しかも製造誤差による性能の劣化が少ないズームレンズを得ている。
【実施例２】
【００６２】
図３の実施例２のズームレンズのレンズ群の数、各レンズ群の屈折力、ズーミングにおける各レンズ群の移動条件等のズームタイプは実施例１と同じである。ｆ＝２６０．６ｍｍが前記｜β３×β４｜＝１を満足するズームポジションであり、ｆ＝４８５．７ｍｍがｆtm（＝ｆＷ×Ｚ0.85）に対応するズームポジションである。
本実施例はいずれの条件式も満足しており、これにより、実施例１と同様の効果を得ている。
【実施例３】
【００６３】
図５の実施例３のズームレンズのレンズ群の数、各レンズ群の屈折力、ズーミングにおける各レンズ群の移動条件等のズームタイプは実施例１と同じである。ｆ＝４７３．３ｍｍが前記｜β３×β４｜＝１を満足するズームポジションであり、ｆ＝４１４．６ｍｍがｆtm（＝ｆＷ×Ｚ0.85）に対応するズームポジションである。
本実施例はいずれの条件式も満足しており、これにより、実施例１と同様の効果を得ている。
【実施例４】
【００６４】
図７の実施例４のズームレンズのレンズ群の数、各レンズ群の屈折力、ズーミングにおける各レンズ群の移動条件等のズームタイプは実施例１と同じである。ｆ＝８２２．９ｍｍが前記｜β３×β４｜＝１を満足するズームポジションであり、ｆ＝４８５．７ｍｍがｆtm（＝ｆＷ×Ｚ0.85）に対応するズームポジションである。
本実施例はいずれの条件式も満足しており、これにより、実施例１と同様の効果を得ている。
【００６５】
このように本発明のズームレンズをテレビカメラに適用することにより、高い光学性能を有する撮像装置を実現している。
【００６６】
以下に本発明の実施例１〜４に対応する数値実施例１〜４を示す。各数値実施例において、ｉは物体側からの面の順序を示し、ｒｉは物体側より第ｉ番目の面の曲率半径、ｄｉは物体側より第ｉ番目と第ｉ＋１番目の間隔、ｎｄｉ，νｄｉはそれぞれ第ｉ番目の光学部材の屈折率とアッベ数である。ＢＦはバックフォーカスである。非球面形状は光軸方向にＸ軸、光軸と垂直方向にＨ軸、光の進行方向を正とし、Ｒを近軸曲率半径、ｋを円錐常数、Ａ４、Ａ６、Ａ８、Ａ１０、Ａ１２、Ａ１４、Ａ１６をそれぞれ非球面係数としたとき、次式で表している。
【００６７】
【数１】
0006564200.tif 000002
又、例えば「ｅ−Ｚ」は「×１０-Z」を意味する。面番号の横に記載した＊印はその面が非球面であることを示している。各実施例と前述した条件式との対応を表１に示す。
【００６８】
（数値実施例１）
単位 mm
面データ
面番号       ri       di     ndi        vdi      有効径
1       9597.430    6.00   1.83400    37.2      190.46
2        340.004    1.84                        190.29
3        339.332   27.86   1.43387    95.1      191.31
4       -502.825   26.88                        192.05
5        320.053   20.18   1.43387    95.1      194.70
6      -7923.257    0.25                        194.01
7        250.423   20.93   1.43387    95.1      189.42
8       2491.766    1.20                        187.76
9        189.198   14.21   1.49700    81.5      175.95
10        340.671  (可変)                        173.29
11*       415.211    2.35   1.88300    40.8       49.36
12         43.074   12.79                         42.83
13        -51.732    1.45   1.77250    49.6       40.69
14         75.937    8.85   1.80809    22.8       41.05
15        -64.129    2.91                         41.84
16        -51.999    2.00   1.69680    55.5       41.88
17       -430.050  (可変)                         44.00
18*       293.516   11.17   1.60311    60.6       74.48
19       -165.712    1.56                         75.75
20        173.007   13.12   1.43875    94.9       77.24
21       -175.313    0.71                         77.06
22        241.497    2.50   1.74950    35.3       74.98
23         87.513    7.63   1.43875    94.9       72.84
24        234.956  (可変)                         72.46
25        124.179    2.50   1.84666    23.8       71.70
26         81.386   14.02   1.59349    67.0       70.06
27       -324.333  (可変)                         69.12
28(絞り)    ∞       4.91                         33.11
29        -72.135    1.80   1.81600    46.6       31.53
30         60.431    5.14   1.80809    22.8       31.21
31       -237.282    7.56                         31.06
32        -28.781    1.50   1.81600    46.6       30.27
33         72.496   10.08   1.54814    45.8       33.59
34        -28.553   16.01                         34.90
35        194.319    9.08   1.53172    48.8       38.36
36        -44.351    1.49                         38.47
37       -104.494    1.50   1.88300    40.8       36.24
38         50.244    8.70   1.51823    58.9       35.65
39        -42.763    0.49                         35.75
40        151.551    6.51   1.49700    81.5       33.60
41        -36.614    1.50   1.88300    40.8       33.04
42       -449.269    1.00                         32.79
43         79.392    5.73   1.52249    59.8       32.33
44        -95.633   10.00                         31.66
45          ∞      33.00   1.60859    46.4       40.00
46          ∞      13.20   1.51633    64.1       40.00
47          ∞     (可変)                         50.00
像面        ∞   
非球面データ
第11面
K =-5.67138e+002  A 4= 1.56516e-006  A 6=-1.23853e-009  A 8= 8.25025e-013  
第18面
K =-2.65823e+001  A 4=-6.58701e-008  A 6=-8.31623e-012  A 8= 3.09607e-016  
各種データ
ズーム比     80.00 
焦点距離      10.00   233.64   414.68   799.99  
Fナンバー      1.80     1.80     2.18     4.20  
画角          28.81     1.35     0.76     0.39  
像高           5.50     5.50     5.50     5.50  
レンズ全長   656.91   656.91   656.91   656.91  
BF            14.80    14.80    14.80    14.80  
d10            3.00   164.88   173.24   179.61  
d17          278.73    67.99    40.36     2.84  
d24           14.30     5.03     8.23    16.53  
d27            3.95    62.09    78.16   101.00  
d47           14.80    14.80    14.80    14.80  
入射瞳位置    141.25   2282.15   4169.99   10463.45  
射出瞳位置   8181.76   8181.76   8181.76    8181.76  
前側主点位置  151.26   2522.47   4605.73   11341.80  
後側主点位置    4.80   -218.83   -399.88    -785.19  
ズームレンズ群データ
群  始面    焦点距離  レンズ構成長  前側主点位置  後側主点位置
1    1     247.00       119.35        67.07        -20.92
2   11     -28.17        30.35         6.88        -15.12
3   18     117.41        36.70         3.82        -20.78
4   25     182.26        16.52         2.62         -7.66
5   28      60.17       139.20        60.62          7.44
単レンズデータ
レンズ  始面  焦点距離
1       1   -420.10
2       3    470.52
3       5    707.78
4       7    638.26
5       9    827.83
6      11    -54.27
7      13    -39.45
8      14     43.83
9      16    -84.71
10      18    176.55
11      20    200.27
12      22   -183.18
13      23    312.11
14      25   -283.85
15      26    110.66
16      29    -39.85
17      30     59.45
18      32    -24.95
19      33     38.54
20      35     68.49
21      37    -38.03
22      38     45.87
23      40     59.85
24      41    -44.96
25      43     83.64
26      45      0.00
27      46      0.00
【００６９】
（数値実施例２）
単位 mm
面データ
面番号       ri       di     ndi        vdi      有効径
1      14858.185    6.00   1.83400    37.2      213.38
2        356.511    1.94                        202.45
3        358.152   29.18   1.43387    95.1      201.65
4       -518.663   25.18                        199.30
5        336.999   18.34   1.43387    95.1      196.03
6     -10969.733    0.25                        195.54
7        257.354   19.21   1.43387    95.1      191.36
8       1884.237    1.20                        190.13
9        201.561   14.11   1.49700    81.5      179.73
10        411.871  (可変)                        177.92
11*     -3468.598    2.20   2.00330    28.3       49.56
12         46.174   10.15                         43.03
13        -69.413    1.45   1.88300    40.8       41.90
14         58.351    8.58   1.95906    17.5       41.58
15        -91.149    1.24                         41.42
16        -69.393    1.80   1.88300    40.8       41.09
17      -2467.288  (可変)                         41.02
18*       675.120    7.49   1.64000    60.1       75.20
19       -170.429    0.81                         75.96
20        196.093   11.52   1.43875    94.9       78.08
21       -170.560    0.46                         78.19
22        249.228    2.70   1.73800    32.3       76.93
23        102.901    9.16   1.43875    94.9       75.40
24       1519.025  (可変)                         75.13
25        120.794    3.50   1.84666    23.8       74.10
26         76.436   14.98   1.59349    67.0       71.69
27       -389.892  (可変)                         70.54
28(絞り)    ∞       4.80                         33.78
29        -78.896    1.80   1.81600    46.6       32.07
30         44.994    7.25   1.80809    22.8       31.49
31       -308.255    5.88                         31.13
32        -27.699    1.50   1.81600    46.6       30.72
33        160.278    9.74   1.54814    45.8       33.89
34        -29.267   16.02                         35.52
35       -175.257    5.25   1.53172    48.8       37.78
36        -40.073    4.31                         37.99
37       -994.412    1.50   1.88300    40.8       34.65
38         35.363    8.40   1.51823    58.9       33.60
39        -54.836    0.50                         33.65
40        221.015    7.54   1.49700    81.5       32.56
41        -28.923    1.50   1.88300    40.8       32.06
42       -605.470    0.09                         32.60
43         80.721    6.91   1.52249    59.8       32.85
44        -43.411   10.00                         32.72
45          ∞      33.00   1.60859    46.4       40.00
46          ∞      13.20   1.51633    64.1       40.00
47          ∞     (可変)                         50.00
像面        ∞   
非球面データ
第11面
K =-6.51194e+003  A 4= 4.72206e-007  A 6=-6.70638e-011  A 8=-2.95271e-014  
第18面
K =-1.66645e+002  A 4=-5.21436e-008  A 6=-6.33646e-012  A 8= 1.53927e-016  
各種データ
ズーム比    120.00 
焦点距離       8.30   260.56   485.71   996.01  
Fナンバー      1.80     1.80     2.54     5.20  
画角          33.53     1.21     0.65     0.32  
像高           5.50     5.50     5.50     5.50  
レンズ全長   658.49   658.49   658.49   658.49  
BF            14.81    14.81    14.81    14.81  
d10            2.65   181.15   188.94   195.30  
d17          298.79    69.69    41.22     2.57  
d24            7.71     1.61     3.88    15.31  
d27            3.89    60.59    79.00    99.85  
d47           14.81    14.81    14.81    14.81  
入射瞳位置    128.98   2674.02   5085.15   14292.00  
射出瞳位置   4022.65   4022.65   4022.65    4022.65  
前側主点位置  137.30   2951.51   5629.72   15535.53  
後側主点位置    6.51   -245.74   -470.90    -981.20  
ズームレンズ群データ
群  始面    焦点距離  レンズ構成長  前側主点位置  後側主点位置
1    1     253.98       115.41        66.48        -18.34
2   11     -25.70        25.42         5.10        -12.22
3   18     108.88        32.14         5.81        -15.97
4   25     192.92        18.48         2.10         -9.33
5   28      61.09       139.19        62.03         11.48
単レンズデータ
レンズ  始面  焦点距離
1       1   -435.28
2       3    492.04
3       5    752.06
4       7    682.82
5       9    774.63
6      11    -45.03
7      13    -35.50
8      14     37.67
9      16    -80.42
10      18    212.52
11      20    209.39
12      22   -237.62
13      23    250.45
14      25   -252.63
15      26    108.60
16      29    -34.71
17      30     48.54
18      32    -28.69
19      33     45.75
20      35     95.94
21      37    -38.42
22      38     42.68
23      40     51.83
24      41    -34.24
25      43     54.86
26      45      0.00
27      46      0.00
【００７０】
（数値実施例３）
単位 mm
面データ
面番号       ri       di     ndi        vdi      有効径
1       9822.463    6.00   1.83400    37.2      190.41
2        340.304    1.78                        190.24
3        338.246   27.80   1.43387    95.1      191.26
4       -507.089   26.71                        192.00
5        321.104   20.31   1.43387    95.1      194.65
6      -5916.095    0.25                        193.97
7        253.053   20.75   1.43387    95.1      189.34
8       2599.027    1.20                        187.69
9        187.914   14.21   1.49700    81.5      175.78
10        336.457  (可変)                        173.12
11*       415.982    2.35   1.88300    40.8       49.61
12         43.838   11.77                         43.10
13        -51.837    1.45   1.77250    49.6       41.83
14         84.611    8.62   1.80809    22.8       42.01
15        -63.358    2.25                         42.03
16        -52.599    2.00   1.69680    55.5       41.00
17       -400.162  (可変)                         41.13
18*       302.039    9.11   1.60311    60.6       67.31
19       -178.123    1.52                         68.06
20        168.173   10.24   1.43875    94.9       68.54
21       -211.855    1.62                         68.19
22        199.329    2.50   1.74950    35.3       66.23
23         88.859    6.66   1.43875    94.9       64.49
24        332.904  (可変)                         64.06
25        133.873    2.50   1.84666    23.8       59.24
26         85.580    8.93   1.59349    67.0       57.89
27       -652.642  (可変)                         57.07
28(絞り)    ∞       5.00                         32.86
29        -67.716    1.80   1.81600    46.6       31.37
30         76.038    5.13   1.80809    22.8       31.22
31       -198.413    7.90                         31.13
32        -29.693    1.50   1.81600    46.6       30.34
33         80.976    9.65   1.54814    45.8       33.47
34        -28.946   16.01                         34.72
35        245.313    8.98   1.53172    48.8       37.88
36        -44.756    2.10                         38.03
37       -102.884    1.50   1.88300    40.8       35.71
38         53.947    8.16   1.51823    58.9       35.24
39        -44.228    0.50                         35.35
40        166.224    6.46   1.49700    81.5       33.50
41        -37.233    1.50   1.88300    40.8       32.94
42       -295.464    1.01                         32.78
43         74.832    5.78   1.52249    59.8       32.27
44       -104.099   10.00                         31.55
45          ∞      33.00   1.60859    46.4       40.00
46          ∞      13.20   1.51633    64.1       40.00
47          ∞     (可変)                         50.00
像面        ∞   
非球面データ
第11面
K =-5.67163e+002  A 4= 1.55036e-006  A 6=-1.19805e-009  A 8= 7.74808e-013  
第18面
K =-2.65827e+001  A 4=-1.29449e-008  A 6=-1.18841e-011  A 8= 2.41788e-016  
各種データ
ズーム比     80.00 
焦点距離      10.00   414.57   473.26   799.99  
Fナンバー      1.80     2.18     2.49     4.20  
画角          28.81     0.76     0.67     0.39  
像高           5.50     5.50     5.50     5.50  
レンズ全長   657.43   657.43   657.43   657.43  
BF            14.81    14.81    14.81    14.81  
d10            3.00   176.70   177.87   181.67  
d17          287.54    50.95    42.18     2.82  
d24           18.41    31.37    37.13    65.14  
d27            3.97    53.90    55.74    63.29  
d47           14.81    14.81    14.81    14.81  
入射瞳位置    141.59   4705.39   5497.79   11632.82  
射出瞳位置   2834.76   2834.76   2834.76    2834.76  
前側主点位置  151.63   5180.91   6050.48   12659.76  
後側主点位置    4.81   -399.76   -458.45    -785.18  
ズームレンズ群データ
群  始面    焦点距離  レンズ構成長  前側主点位置  後側主点位置
1    1     247.00       119.00        66.83        -20.87
2   11     -29.32        28.44         6.25        -14.39
3   18     110.82        31.65         4.28        -17.48
4   25     234.24        11.43         0.53         -6.45
5   28      58.89       139.18        60.15          4.71
単レンズデータ
レンズ  始面  焦点距離
1       1   -420.12
2       3    471.18
3       5    700.92
4       7    642.82
5       9    827.57
6      11    -55.34
7      13    -41.22
8      14     45.57
9      16    -86.75
10      18    186.39
11      20    214.91
12      22   -214.59
13      23    273.30
14      25   -284.23
15      26    127.60
16      29    -43.43
17      30     67.90
18      32    -26.33
19      33     39.95
20      35     71.61
21      37    -39.67
22      38     48.08
23      40     61.68
24      41    -48.10
25      43     83.92
26      45      0.00
27      46      0.00
【００７１】
（数値実施例４）
単位 mm
面データ
面番号       ri       di     ndi        vdi      有効径
1       8363.473    6.00   1.83400    37.2      213.33
2        351.107    1.94                        202.99
3        352.775   28.99   1.43387    95.1      202.33
4       -546.264   25.16                        200.20
5        337.475   18.71   1.43387    95.1      196.10
6      -6301.444    0.25                        195.61
7        254.363   19.03   1.43387    95.1      191.28
8       1630.342    1.20                        190.04
9        202.341   14.18   1.49700    81.5      179.89
10        417.653  (可変)                        178.08
11*      2855.098    2.20   2.00330    28.3       49.48
12         45.045   10.51                         42.88
13        -64.416    1.45   1.88300    40.8       41.72
14         59.528    8.50   1.95906    17.5       41.58
15        -90.511    1.04                         41.47
16        -73.294    1.80   1.88300    40.8       41.18
17      -1789.058  (可変)                         41.12
18*       545.119    5.85   1.64000    60.1       68.24
19       -216.336    0.92                         68.72
20        236.224    7.75   1.43875    94.9       69.73
21       -219.462    0.46                         69.78
22        286.212    2.70   1.73800    32.3       69.17
23        106.514   10.54   1.43875    94.9       68.13
24       -287.296  (可変)                         67.94
25        105.776    3.50   1.84666    23.8       63.42
26         70.221   11.91   1.59349    67.0       61.19
27       -534.228  (可変)                         59.96
28(絞り)    ∞       4.79                         36.28
29        -92.675    1.80   1.81600    46.6       34.45
30         48.617    5.14   1.80809    22.8       33.65
31       -897.996   12.10                         33.40
32        -29.258    1.50   1.81600    46.6       31.41
33        100.359    9.50   1.54814    45.8       34.60
34        -29.976   12.20                         35.78
35        625.995    8.82   1.53172    48.8       37.92
36        -42.396    4.62                         38.14
37       -108.176    1.50   1.88300    40.8       34.25
38         44.204    8.08   1.51823    58.9       33.63
39        -45.366    0.48                         33.74
40        176.263    6.38   1.49700    81.5       32.31
41        -33.470    1.50   1.88300    40.8       31.87
42       -284.030    0.09                         31.95
43         93.099    5.52   1.52249    59.8       31.82
44        -59.598   10.00                         31.49
45          ∞      33.00   1.60859    46.4       40.00
46          ∞      13.20   1.51633    64.1       40.00
47          ∞     (可変)                         50.00
像面        ∞   
非球面データ
第11面
K =-8.11568e+003  A 4= 5.21906e-007  A 6=-3.93777e-011  A 8=-1.26715e-013  
第18面
K =-1.33666e+002  A 4= 2.00184e-008  A 6=-1.54387e-011  A 8= 5.42200e-016  
各種データ
ズーム比    120.00 
焦点距離       8.30   485.67   822.92   996.00  
Fナンバー      1.80     2.54     4.30     5.20  
画角          33.53     0.65     0.38     0.32  
像高           5.50     5.50     5.50     5.50  
レンズ全長   658.46   658.46   658.46   658.46  
BF            13.78    13.78    13.78    13.78  
d10            2.65   192.86   196.70   197.89  
d17          306.10    52.45    17.68     2.85  
d24            7.23    30.21    57.42    72.42  
d27            3.87    44.32    48.05    46.69  
d47           13.78    13.78    13.78    13.78  
入射瞳位置     129.15    5495.36   10653.87   14383.76  
射出瞳位置   10724.05   10724.05   10724.05   10724.05  
前側主点位置   137.46    6003.06   11540.02   15472.38  
後側主点位置     5.48    -471.89    -809.14    -982.22  
ズームレンズ群データ
群  始面    焦点距離  レンズ構成長  前側主点位置  後側主点位置
1    1     253.98       115.46        66.43        -18.47
2   11     -25.77        25.50         5.08        -12.45
3   18     110.32        28.23         6.67        -12.84
4   25     181.61        15.41         0.64         -8.80
5   28      65.94       140.23        66.35         13.90
単レンズデータ
レンズ  始面  焦点距離
1       1   -436.80
2       3    497.67
3       5    737.07
4       7    690.01
5       9    770.53
6      11    -45.26
7      13    -34.64
8      14     38.01
9      16    -86.09
10      18    241.76
11      20    260.00
12      22   -229.68
13      23    178.12
14      25   -255.94
15      26    104.97
16      29    -38.66
17      30     56.63
18      32    -27.48
19      33     43.00
20      35     74.66
21      37    -35.17
22      38     44.40
23      40     57.01
24      41    -42.84
25      43     70.14
26      45      0.00
27      46      0.00
【００７２】
【表１】
0006564200.tif 000003
【実施例５】
【００７３】
図９は、実施例１乃至４のズームレンズを撮影光学系として用いた第５の実施例である撮像装置の概略図である。本発明の撮像装置１２５は、実施例１乃至４のいずれかのズームレンズ１０１、カメラ１２４から構成される。ズームレンズ１０１はカメラ１２４に対して着脱可能であり、焦点調整用レンズ群を含む第１レンズ群Ｆ、変倍レンズ群ＬＺ、結像用レンズ群Ｒを有する。ＳＰは開口絞りである。各々第１レンズ群Ｆ、変倍レンズ群ＬＺは、ヘリコイドやカム等の駆動機構１１４，１１５によって光軸方向に駆動される。駆動機構１１４、１１５及び開口絞りＳＰはモーター（駆動手段）１１６〜１１８によって電動駆動される。第１群レンズＦや変倍レンズ群ＬＺの光軸上の位置や、開口絞りＳＰの絞り径は、エンコーダやポテンショメータ、あるいはフォトセンサ等の検出器１１９〜１２１によって検出される。カメラ１２４は、光学フィルタや色分解光学系に相当するガラスブロック１０９、ズームレンズ１０１によって形成された被写体像を受光するＣＣＤセンサやＣＭＯＳセンサ等の固体撮像素子（光電変換素子）１１０を含む。また、ＣＰＵ１１１、１２２はカメラ１２４及びズームレンズ１０１の各種の駆動を制御する。このように本発明のズームレンズをテレビカメラ等に適用することにより高い光学性能を有する撮像装置を実現することができる。
【符号の説明】
【００７４】
Ｕ１：第１レンズ群    Ｕ２：第２レンズ群    Ｕ３：第３レンズ群
Ｕ４：第４レンズ群    Ｕ５：第５レンズ群
【図１】
0006564200.tif 000004
【図２】
0006564200.tif 000005
【図３】
0006564200.tif 000006
【図４】
0006564200.tif 000007
【図５】
0006564200.tif 000008
【図６】
0006564200.tif 000009
【図７】
0006564200.tif 000010
【図８】
0006564200.tif 000011
【図９】
0006564200.tif 000012